(57)【特許請求の範囲】
【請求項１】
記録媒体の記録面の一方に磁気ヘッドが他方に光ヘッドが対向し、前記磁気ヘッドには、記録媒体に対向する側に磁気ギャップを有するコアが設けられ、前記光ヘッドには、前記記録媒体に集光する対物レンズと、前記対物レンズを補正動作させるコイルおよびマグネットとが設けられている光磁気記録装置において、前記マグネットは前記磁気ヘッドを挟む両側に対を成して設けられ且つ両マグネットの対向面が互いに異なる磁極に着磁されており、前記磁気ヘッドのコアの主磁路形成面が、前記対を成すマグネット間の洩れ磁界の方向と直交する方向へ向けられており、
前記光ヘッドは、前記対物レンズおよびコイルとマグネットとを収納するシールドケースを有し、且つ少なくとも前記マグネットが配置されている部分において、記録媒体に対向する側で前記シールドケースが開口していることを特徴とする光磁気記録装置。
【発明の詳細な説明】
【０００１】
【発明の属する技術分野】
本発明は、磁気ヘッドと光ヘッドとが記録媒体を介して対向し、光変調または磁気変調により信号が記録される光磁気記録装置に係り、特に、前記磁気ヘッドのコアの磁化を磁路と直交する方向に揃えることで、高周波数帯域でのコア損失（鉄損）を低減させた光磁気記録装置に関する。
【０００２】
【従来の技術】
図４は、従来の光磁気記録装置内に装備される光ヘッドの内部構造、およびこの光ヘッドに対向する磁気ヘッドの磁気コアとの配置関係を示す部分斜視図である。
図４に示す光ヘッド２１では、対物レンズ２がシールドケース２２の上面から露出している。この対物レンズ２はレンズホルダ４に保持され、前記シールドケース２２内では、前記レンズホルダ４の側面と、前記シールドケース２２の内部の支持部との間にワイヤ２３が取り付けられており、このワイヤ２３により前記レンズホルダ４が微動自在に支持されている。
【０００３】
前記レンズホルダ４の両側には、フォーカシングコイル（図示しない）、ヨーク（図示しない）、およびフォーカシング補正用マグネット２４，２４とからなる、いわゆるフォーカスアクチュエータ（フォーカス補正駆動装置）が設けられている。
前記マグネット２４，２４により形成される磁束の向き、および前記フォーカシングコイルに流される電流の向きにより、前記レンズホルダ４はフォーカシング方向（図４に示すＺ方向）に補正駆動される。
図４に示すように、前記対物レンズ２の真上には、記録媒体（図示しない）を介して磁気ヘッド２５が対向している。
【０００４】
図５は、図４に示す磁気ヘッド２５の構造を示す分解斜視図である。
磁気ヘッド２５を構成するセンタコア２６は直方体形状で、サイドコア２７，２７は略Ｌ字形状で形成されている。前記センタコア２６とサイドコア２７，２７とは、その先端部にて磁気ギャップＧの間隔をおいて非磁性材料２８，２８を介して接合されている。
ボビン２９にはコイル３０が巻回されている。前記ボビン２９には、上面から下面にかけて貫通する挿入孔２９ａが形成されており、この挿入孔２９ａにセンタコア２６が挿入される。
また、センタコア２６およびサイドコア２７，２７の上面にはバックコア３１が接合される。
【０００５】
図５に示す磁気ヘッド２５は、セラミック材料から成るスライダに取り付けられており、さらに前記スライダは板ばね材料から成る支持部材に支持されている。
前記コイル３０に記録電流が流れると、センタコア２６―サイドコア２７―バックコア３１を経る閉磁路が形成され、前記センタコア２６の先部から記録媒体上にＺ軸方向への垂直磁界が与えられる。
また光ヘッド２１の対物レンズ２からはレーザ光が記録媒体に照射されて、光変調または磁気変調により、信号が記録される。
【０００６】
【発明が解決しようとする課題】
しかし、図４に示す磁気ヘッド２５が、高周波数帯域で駆動されると、コア２６，２７，３１のコア損失（鉄損）が飛躍的に増大し、発熱量が大きくなる。コア損失による発熱により、透磁率や飽和磁化は低下し十分な磁界強度を得ることができず、従って高記録密度化が図れないといった問題が発生する。
高周波数帯域でコア損失が増大するのは、駆動時におけるコア２６，２７，３１の磁化過程に起因するものと推測される。磁化過程には磁壁移動と、回転磁化との２つがあるが、コア２６，２７，３１の中では磁区が形成され、各磁区の磁化は多方向へランダムに向けられた状態になっており、通常、コア２６，２７，３１の磁化過程は、磁壁移動によるものが支配的になっている。磁壁移動においては、スピンの反転周波数は駆動周波数より大きいため、スピンの反転周波数が駆動周波数に等しい回転磁化に比べて、高周波数帯域でのコア損失の増大が著しい。
【０００７】
本発明は上記従来の課題を解決するためのものであり、磁気ヘッドのコア内の磁化過程において、回転磁化によるものが支配的になるようにして、高周波数帯域でのコア損失を低減させることを可能とした磁気ヘッド装置を提供することを目的としている。
【０００８】
【課題を解決するための手段】
本発明は、記録媒体の記録面の一方に磁気ヘッドが他方に光ヘッドが対向し、前記磁気ヘッドには、記録媒体に対向する側に磁気ギャップを有するコアが設けられ、前記光ヘッドには、前記記録媒体に集光する対物レンズと、前記対物レンズを補正動作させるコイルおよびマグネットとが設けられている光磁気記録装置において、前記マグネットは前記磁気ヘッドを挟む両側に対を成して設けられ且つ両マグネットの対向面が互いに異なる磁極に着磁されており、前記磁気ヘッドのコアの主磁路形成面が、前記対を成すマグネット間の洩れ磁界の方向と直交する方向へ向けられており、
前記光ヘッドは、前記対物レンズおよびコイルとマグネットとを収納するシールドケースを有し、且つ少なくとも前記マグネットが配置されている部分において、記録媒体に対向する側で前記シールドケースが開口していることを特徴とするものである。
【００１０】
本発明は、対物レンズの両側に設けられたフォーカス補正またはトラッキング補正用のマグネットの対向面が異極となっている。したがって、前記マグネット間では、一方のマグネットから他方のマグネットに向かう洩れ磁界が形成される。前記マグネットは対物レンズを挟む位置に設けられているため、記録媒体（ディスク）の部分および磁気ヘッドが対向する部分では、前記洩れ磁界の磁束方向が前記記録媒体の面とほぼ平行である。
【００１１】
本発明では、磁気ヘッドのセンタコアおよびサイドコアの並び面（主磁路形成面）が各マグネットの対向面と平行な方向であり、前記洩れ磁界が、前記並び面およびコア内の記録磁界の磁路方向と直交している。したがって、コア内では記録磁界の磁路方向と直交する方向に単磁区化され、前記磁路方向（Ｚ方向）が磁化困難軸となる。よって、コアに記録磁界が与えられると、磁壁移動よりも回転磁化の方が支配的となり、ヒステリシスが低下し、透磁率の劣化を防止できるとともに、コア損失が低減されて発熱を抑えることができる。
【００１２】
また、従来の光ヘッドは、対物レンズが露出している部分以外がシールドケースで覆われ、補正用マグネットからの洩れ磁界が光ヘッドの外部に及ばないようにしているが、本発明では、前記シールドケースに、少なくともマグネットの部分が露出する開口が形成されている。したがって、マグネット間の洩れ磁界により磁気ヘッドのコアを横断する磁束密度が高くなり、コア損失の低減が効果的なものとなる。
【００１３】
【発明の実施の形態】
図１は本発明における光ヘッドの内部形状、および前記光ヘッドと磁気ヘッドのコアとの配置関係を示す部分斜視図、図２は、図１に示す磁気ヘッドの全体構造を示す分解斜視図、図３は図２に示す磁気ヘッドの正面図である。
図１に示す光ヘッド１は、レンズホルダ４に保持された対物レンズ２と、この対物レンズ２をフォーカシング方向（図示Ｚ１，Ｚ２方向）に補正移動させるためのフォーカシングアクチュエータ（フォーカス補正駆動装置）３，３とで構成されており、前記レンズホルダ４とフォーカシングアクチュエータ３，３とが直方体形状のシールドケース５の中に収められている。ただし、このシールドケース５は記録媒体に対向する上部が開口部となっている。
【００１４】
図１に示すように、前記レンズホルダ４の側面と、シールドケース５内の支持部との間には弾性部材としてワイヤ６が取り付けられており、このワイヤ６により前記レンズホルダ４はシールドケース５の底面から所定の高さだけ浮いた状態で微動自在に支持されている。
前記レンズホルダ４の両側に設けられたフォーカシングアクチュエータ３，３は、フォーカシングコイル７、ヨーク（磁性体）８、およびフォーカシング補正用マグネット９により構成されている。
【００１５】
前記フォーカシングコイル７は、その上面から下面にかけて貫通する貫通孔７ａを有するように巻回されて形成されてレンズホルダ４の両側面に固定支持されている。
前記ヨーク８は、例えばＭｎ―Ｚｎフェライトなどの磁性材料で形成されたものであり、前記ヨーク８の底部８ａはシールドケース５内の図示しないベースに固定されている。ヨーク８には、前記底部８ａの両側端部から図示Ｚ１方向に向けて対向部８ｂ，８ｂが延びており、片方（内側）の対向部８ｂが、前記フォーカシングコイル７に形成された貫通孔７ａに挿入されている。
【００１６】
また、他方（外側）の対向部８ｂの内側には、フォーカシング補正用マグネット９が固定されている。
図に示すように、例えば図示左側の前記フォーカシング補正用マグネット９は、その内側面がＮ極に、外側面がＳ極にそれぞれ着磁されており、また、図示右側の前記フォーカシング補正用マグネット９は、その内側面がＳ極に、外側面がＮ極にそれぞれ着磁されている。
前記レンズホルダ４は、前記フォーカシング補正用マグネット９から発生する磁束の向き（図示Ｙ１あるいはＹ２方向）と、前記フォーカシングコイル７に流される電流の向き（図示Ｘ１あるいはＸ２方向）とにより、フォーカシング方向（図示Ｚ１あるいはＺ２方向）に補正駆動される。
【００１７】
対を成すマグネット９と９は、その対向する面が互いに異極となっているため、図示左側のフォーカシング補正用マグネット９のＮ極から、図示右側のフォーカシング補正用マグネット９のＳ極に向けて洩れ磁界Ｈが発生する。マグネット９と９は離れた位置に設けられているため、前記洩れ磁界Ｈは磁気ヘッド１０のコアが対向する部分で、ほぼ記録媒体（ディスク）に平行な向きとなる。特に、シールドケース５は上部が開口しているため、前記洩れ磁界Ｈの磁束密度が高くなっている。
図１に示すように、前記対物レンズ２の真上には、記録媒体（図示しない）を介して前記磁気ヘッド１０が対向している。
【００１８】
図２に示すように、前記磁気ヘッド１０は、例えばチタン酸カルシウムなどの非磁性のセラミック材料により形成されたスライダ１１に取り付けられている。なお、前記スライダ１１は、その下面が記録媒体との対向面となっている。
図２に示すように前記スライダ１１の四隅には上方に延びる支柱１１ａ，１１ｂ，１１ｃ，１１ｄが形成されている。また前記支柱１１ａ，１１ｂには、それぞれ切欠溝１２，１３が形成されており、さらに、前記支柱１１ａ，１１ｂの間のスライダ１１端面にも切欠溝１４が形成されている。
【００１９】
磁気ヘッド１０を構成するセンタコア１５、およびサイドコア１６，１６はフェライトなどの高透磁率の磁性材料により直方体形状で形成されている。
またセンタコア１６には、コイル１７が巻回されたボビン１８が外装されている。
図２に示すように前記センタコア１５がスライダ１１に形成された切欠溝１４に、前記サイドコア１６，１６が切欠溝１２，１３にそれぞれ挿嵌され、前記サイドコア１６，１６およびセンタコア１５は、その下面がスライダ１１の下面と同一面とされた状態で接着されるなどして前記切欠溝１２，１３，１４内に固定される。
【００２０】
図３に示すように、前記センタコア１５，サイドコア１６を正面から見てみると、前記センタコア１５とサイドコア１６，１６との間には一部のスライダ１１が介在した状態になっており、前記センタコア１５とサイドコア１６，１６との間が磁気ギャップＧ１，Ｇ２となっている。
図２に示す符号１９は、バックコアの機能を有するバックプレートであり、このバックプレート１９は、センタコア１５、サイドコア１６と同じようにＭｎ─Ｚｎフェライトなどの磁性材料で形成されており、その形状は平板状にされている。
【００２１】
また、前記バックプレート１９の下面には、例えばガラス（ＳｉＯ２）などの非導電材料によって形成された薄い電気絶縁層２０が形成されている。このようにして形成された前記バックプレート１９は、前記支柱１１ａ，１１ｂ，１１ｃ，１１ｄ、センタコア１５およびサイドコア１６，１６の上面に接合される。なお、本発明では、センタコア１５およびサイドコア１６，１６と、バックプレート１９との間に前記電気絶縁層２０が介在しているため、センタコア１５およびサイドコア１６，１６とバックプレート１９間での渦電流を抑制でき、コア損失（鉄損）を低減させることが可能となっている。
【００２２】
図２に示すバックプレート１９の上面には、薄い板ばね材料により形成されたフレキシャ（図示しない）が接合されている。さらに板ばね材料製で、一部に弾性機能部を有するロードビーム（図示しない）などにより前記フレキシャが支持される。記録媒体の停止時には、前記ロードビームの弾性力により、前記スライダ１１が記録媒体上に圧接された状態となっている。
記録媒体が摺動し始めると、前記スライダ１１は記録媒体上に浮上し、図３に示すように、スライダ１１に取り付けられた磁気ヘッド１０の下面が記録媒体Ｄ上に所定の浮上距離ｈで対向する。
磁気ヘッド１０のセンタコア１５に巻回されたコイル１７に記録電流が流されると、図３に示すように、センタコア１５―サイドコア１６―バックプレート１９を経る閉磁路Ｌ１，Ｌ２が形成され、前記センタコア１５の下面からは記録媒体Ｄへ垂直磁界が与えられる。
【００２３】
これと同時に、前記磁気ヘッド１０に記録媒体（図示しない）を介して対向している対物レンズ２からはレーザ光が照射され、磁界変調または光変調により、記録媒体Ｄに信号が記録される。
本発明では、図１に示すように、対物レンズ２の真上に記録媒体（図示しない）を介して対向する磁気ヘッド１０の向きが、フォーカシング補正用マグネット９，９の対向面と平行に向けられている。これにより、前記磁気ヘッド１０に形成される閉磁路Ｌ１，Ｌ２、すなわちセンタコア１５とサイドコア１６の主磁路形成面と、フォーカシング補正用マグネット９，９の対向面とが平行な関係を有するようになっている。
【００２４】
前述したように、図示左側のフォーカシング補正用マグネット９のＮ極から図示右側のフォーカシング補正用マグネット９のＳ極にかけて洩れ磁界Ｈが発生し、この洩れ磁界Ｈが記録媒体と平行な向きとなって磁気ヘッド１０のコアを横断している。
すなわち、図１に示す磁気ヘッド１０は説明上、拡大して図示されているが、実際の磁気ヘッド１０は、光ヘッド１に比べると１０分の１程度の大きさである。つまり、磁気ヘッド１０の大きさに比べてフォーカシング補正用マグネット９，９間の距離は、非常に長くなっている。よって、マグネット９と９との間の洩れ磁界Ｈは、磁気ヘッド１０を横断する部分で、記録媒体にほぼ平行であり、且つコア内の磁路方向に対してほぼ直角である。
【００２５】
前記洩れ磁界Ｈにより、センタコア１５およびサイドコア１６は、Ｙ１方向へ単磁区化され、記録磁界が流れるときに回転磁化が支配的になり、ヒステリシスが低減する。よって、透磁率の低下を防止できるとともに、コア損失が低減されて、発熱量を抑制することができる。
また、図の実施の形態では、シールドケース５の上面全域が開口しているが、マグネット９，９の部分だけシールドケースの外面が開口していてもよい。シールドケース５の上面に開口を形成することにより、磁気ヘッド１０を横断する洩れ磁界Ｈの磁束密度を高くできる。
【００２６】
【発明の効果】
以上詳述した本発明によれば、対物レンズと記録媒体を介して対向する磁気ヘッドのコアの主磁路形成面が、前記対物レンズの両側に設けられた補正用マグネットの対向面と平行に向けられている。
【００２７】
このため、前記磁気ヘッドは、補正用マグネット間の洩れ磁界を磁路に対して直交する方向から受けることになる。
【００２８】
よって、前記磁路が形成される磁化過程は回転磁化により行われるようになり、高周波数領域でも良好な磁化反転が起こりやすく、コア損失を低減させることが可能となる。
【００２９】
また特に本発明では、前記対物レンズや補正用マグネットなどを収納しておくためのシールドケースに開口を形成して、補正用マグネットから外部に漏れ磁界を発生しやすいようにしているため、コアを横断する洩れ磁界の磁束密度を高くできる。
【図面の簡単な説明】
【図１】本発明における光磁気記録装置に装備される光ヘッドの内部構造、および前記光ヘッドと磁気ヘッドとの配置関係を示す部分斜視図、
【図２】図１に示す磁気ヘッドを有する磁気ヘッドの部分分解斜視図、
【図３】図２に示す磁気ヘッドの正面図、
【図４】従来の光磁気記録装置に装備される光ヘッドの内部構造、および前記光ヘッドと磁気ヘッドとの配置関係を示す部分斜視図、
【図５】従来の磁気ヘッドの分解斜視図、
【符号の説明】
１  光ヘッド
２  対物レンズ
３  フォーカシングアクチュエータ
４  レンズホルダ
５  シールドケース
７  フォーカシングコイル
８  ヨーク（磁性体）
９  フォーカシング補正用マグネット
１０  磁気ヘッド
１１  スライダ
１５  センタコア
１６  サイドコア
Ｌ１，Ｌ２  閉磁路
【図１】
0003633755.tif 000002
【図２】
0003633755.tif 000003
【図３】
0003633755.tif 000004
【図４】
0003633755.tif 000005
【図５】
0003633755.tif 000006